(57)【要約】【課題】吸入パネルの開閉をドアスイッチに連動して正確に判断し、空気清浄機を運転停止をする。【解決手段】空気調和機の電子制御装置３において、吸入パネルがオープンした時、空気清浄機１の高圧電源ユニット２の電源電圧低下を電圧レベルで検知する電圧検出回路６を介して制御部８に吸入パネルオープン信号を入力させることで、電源電圧低下による保護機能としての空気清浄機異常でなく、吸入パネルオープンとして正確に判断する。【選択図】図１
2005274091.tif 000002
【特許請求の範囲】
【請求項１】
空気調和機本体に、空気清浄機本体及び吸入パネルが取り付けられる空気調和機において、吸入パネルの開閉に連動して空気清浄機の高圧電源ユニットに電源を供給するドアスイッチが設けられ、空気調和機側と空気清浄機側との間には、制御端子と電源供給信号端子と高圧電源異常検出端子と接地端子により接続され、空気調和機側において、制御端子は制御素子を介して、空気調和機の空気清浄機運転出力端子に接続され、電源供給信号端子は、電圧検出回路を介して接続され、高圧電源異常検出端子は、制御素子を介して接続され、空気清浄機側において、制御端子は高圧電源ユニットの駆動信号線に接続され、電源供給信号端子は高圧電源ユニットの電源に接続されるとともに、吸入パネルのドアスイッチを介し空気調和機側から電源を供給し、高圧電源異常端子は高圧電源ユニットの異常信号線に接続されており、空気清浄機側において、空気清浄機運転出力端子の状態及び高圧電源異常検出端子の状態と、電源供給信号端子の状態との組み合わせに基づいて、吸入パネルが開いた時に電源供給信号が電圧レベル検出回路により吸入パネルの開閉を検出することを特徴とする空気調和機。
【請求項２】
電源供給信号は、高圧電源ユニットが高圧電源異常を検出する前に入力することを特徴とする請求項１に記載の空気調和機。
【請求項３】
電圧検出回路は、高圧電源ユニットに供給する空気調和機本体側の電源電圧と電源供給信号の電圧とで駆動することにより、吸入パネルの開閉を検出することを特徴とする請求項１または、請求項２に記載の空気調和機。
【発明の詳細な説明】
【技術分野】
【０００１】
本発明は電気集塵方式の空気清浄機を搭載した空気調和機に関するものである。
【背景技術】
【０００２】
従来、この種の空気清浄機を搭載した空気調和機は、吸入パネルの開閉検知回路や、空気清浄機の高圧電源ユニットでの異常を検知する検知回路が空気調和機の制御回路部に設けられている。（特許文献１参照）。  図４には特許文献１に記載された従来の空気調和機の構成ブロック図を示す。図５に空気調和機の吸入パネルが開いた時のタイミングチャートを示す。
【０００３】
空気清浄機１内の高圧電源ユニット２は、電子制御装置３内の電源部４よりドアスイッチ５を経由して電源１０１が供給される。供給された電源１０１は、吸入パネルの開閉をドアスイッチ５によりオン／オフし、電源供給信号６として、高圧電源ユニット２側から電子制御装置３に入り、電圧検出回路７を介して吸入パネルオープン検知信号８として、制御部９へ入力されるように構成されている。空気清浄機１が運転状態で、吸入パネルオープン１０２すると、ドアスイッチ５がオフするため、電源供給信号６が、高圧電源電圧１０１から低下するため、吸入パネルオープン検知信号８のオン信号が制御部９に入力され、制御部９では吸入パネルが開いていると判断する。
【特許文献１】特開平６−７４４８１号公報
【発明の開示】
【発明が解決しようとする課題】
【０００４】
しかしながら、前記従来の構成では、吸入パネルオープン１０２すると、空気清浄機１の高圧電源ユニット２の電源が遮断され、電源電圧１０１が急激に低下する。高圧電源ユニット２の電源電圧１０１が十分低下し、電源供給信号６が電圧１０３に達した時、電子制御装置３内の電圧検出回路７が電圧低下を検知し、制御部９に吸入パネルオープン信号８が入力され、制御部９では、吸入パネルオープンであると判断し、空気清浄機運転出力信号１０をオフし、空気清浄機１を停止させる。ところが、通常、高圧電源ユニット２は、保護機能が設けられており、吸入パネルが開く１０２ことにより高圧電源ユニット２の電源電圧１０１が低下して、電源供給信号６が電圧１０４になると、保護機能が働き、空気清浄機１は、電子制御装置３の制御部９に制御素子１１を介して異常信号１２を送り、空気清浄機運転出力信号１０をオフし、高圧電源ユニット２の動作を停止させる。
【０００５】
高圧電源ユニット２の動作が停止すると、高圧電源ユニット２に蓄えられた電荷の放電経路が遮断されてしまうため、電源供給信号６は、電圧１０４を境界として、急激な電圧低下からゆっくりと電圧を低下させる。制御部９への入力は、吸入パネルオープン信号８は、異常信号１２より遅れ、本来、吸入パネルオープンによる空気清浄機停止であるにも関わらず、空気清浄機異常として誤検知をするという課題を有していた。
【０００６】
本発明は、前記従来の課題を解決するもので、空気清浄機の吸入パネルをオープンすれば、電子制御装置の制御部は、電源電圧低下による保護機能からの空気清浄機異常でなく、吸入パネルオープンとして判断できる空気調和機を提供することを目的とする。
【課題を解決するための手段】
【０００７】
前記従来の課題を解決するために、本発明の空気調和機は、空気清浄機の高圧電源ユニットへの電源電圧を検出する検出回路を設けたものである。
【０００８】
これによって、吸入パネルの開閉は高圧電源ユニットの供給電圧が低下することで判断するため、高圧電源ユニットが異常を判断する前に空気調和機は、吸入パネル開閉を判断できる。
【発明の効果】
【０００９】
本発明の空気調和機は、吸入パネルの開閉を正確に検知し、空気清浄機の異常でないことを判断し、吸入パネルを閉じれば空気清浄機が自動的に再運転する。
【発明を実施するための最良の形態】
【００１０】
第１の発明は、空気清浄機の高圧電源ユニットの電源電圧の有無でなく、電圧レベルで検知することにより、吸入パネルの開閉を短時間で検出することができる。
【００１１】
第２の発明は、特に、第１の発明で吸入パネルオープン検知を空気清浄機異常信号の入力前にすることで、吸入パネルオープン検知を正確に行うことができる。
【００１２】
第３の発明は、特に、第１または第２の発明で吸入パネルオープン検知を高圧電源ユニットの電圧から検知するのでなく、供給電源元の電圧との比較で行うことで、何らかの要因で空気清浄機の電源電圧が大きく変動しても、安定して検出を行うことができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における空気調和機の構成ブロック図であり、図２は、吸入パネルを開いた時のタイムチャートである。
【００１５】
空気清浄機１の高圧電源ユニット２は、電子制御装置３内の電源部４より吸入パネルの開閉でオン／オフするドアスイッチ５を経由して高圧電源電圧１０１が供給される。供給された高圧電源電圧１０１は、高圧電源ユニット２を動作させるだけでなく、電源供給信号６として、電子制御装置３の電圧検出回路７を介して、吸入パネルオープン信号８として制御部９に入力されている。吸入パネルが閉じて、制御部９に吸入パネルオープン信号８がオフしている状態で、制御部９から空気清浄機運転出力信号１０のオン信号を送ると高圧電源ユニット２が動作し、集塵部１３で集塵を行う。空気清浄機１が動作状態において、吸入パネルを開き１０２、ドアスイッチ５がオフすると、高圧電源ユニット２内の高圧電源電圧１０１は空気清浄機異常を検出し動作を停止するまでは急速に低下し、その後は負荷が減少するために低下速度がずっと遅くなる。
【００１６】
高圧電源ユニット２からの電源供給信号６は、電子制御装置３内の電圧検出回路７で電圧レベルを検知しており、電源供給信号６が電圧１０３になると電圧検出回路７が吸入パネルが開いたと判断し、吸入パネルオープン信号８のオン信号が制御部８に入力される。吸入パネルオープン信号８のオン信号が制御部９に入力されると空気清浄機運転出力信号１０をオフにして、高圧電源ユニット２が停止し、空気清浄機１の運転が停止する。吸入パネルオープンを検知する電圧１０３は、高圧電源ユニット２が高圧電源電圧１０１の電圧低下による保護機能により、空気清浄異常信号１２を出力する電圧１０４より高い電圧とする。電源電圧低下による保護機能が働き、制御部９に異常信号１２が入力されたとしても、すでに吸入パネルオープン信号８が制御部９に入力されているため、制御部９としては吸入パネルが開いたことによる空気清浄機停止と認識されて、吸入パネルが閉じられ、ドアスイッチ５がオンすると吸入パネルオープン信号がオフするため、空気清浄機は再運転される。
【００１７】
（実施の形態２）
図３は、本発明の実施の形態２における空気調和機の構成ブロック図である。
【００１８】
吸入パネルオープン信号９を電圧検出回路７で高圧電源ユニット２からの電源供給信号６と電源部４から供給している電圧とで比較することで、高圧電源ユニット２の電源が何らかの要因で電圧変動しても吸入パネル開閉の検知を正確に行うことができる。
【産業上の利用可能性】
【００１９】
以上のように、本発明にかかる空気調和機は、ドアスイッチにより高圧電源などをオン／オフしているため、スイッチにより安全装置が働く機器等の用途にも適用できる。
【図面の簡単な説明】
【００２０】
【図１】本発明の実施の形態１における空気調和機の構成ブロック図
【図２】本発明の実施の形態１における空気調和機のタイムチャート
【図３】本発明の実施の形態２における空気調和機の構成ブロック図
【図４】従来の空気調和機の構成ブロック図
【図５】従来の空気調和機のタイムチャート
【符号の説明】
【００２１】
１  空気清浄機
２  高圧電源ユニット
３  電子制御装置
４  電源部
５  ドアスイッチ
６  電源供給信号
７  電圧検出回路
８  吸入パネルオープン信号
９  制御部
１０  空気清浄機運転出力信号
１１  制御素子
１２  空気清浄機異常信号
１３  集塵部
１０１  高圧電源電圧
１０２  吸入パネルオープン
１０３  吸入パネルオープン検出電圧
１０４  空気清浄機異常検出電圧
【図１】
2005274091.tif 000003
【図２】
2005274091.tif 000004
【図３】
2005274091.tif 000005
【図４】
2005274091.tif 000006
【図５】
2005274091.tif 000007